(57)【要約】【課題】ドリルビットに回転動作と打撃動作を与えて作業を行うハンマドリルについては、バッテリパックでは長時間の作業が困難で作業性が損なわれる問題がある。本発明は、直流電源を電源として動作する作業工具について、大きな電力供給を長時間受けて作業を行うことができるようにする。【解決手段】バッテリ取り付け部４２には、バッテリパックに替えて電源アダプタ６０を取り付け可能な構成とする。電源変換装置６１で交流電源から変換した直流電源を電源アダプタ６０から作業工具１の電源として供給する構成として電力供給の時間的制約を実質的に受けないようにする。【選択図】図２
2019038088.tif 000002
【特許請求の範囲】
【請求項１】
出力軸に取り付けた先端工具に対して軸方向の打撃動作を与える打撃モードと、前記先端工具に対して軸回りの回動動作を与える穴明けモードとに動作モードを切り換え可能な作業工具であって、
電源としてのバッテリパックを取り付けるためのバッテリ取り付け部を備えており、該バッテリ取り付け部には、前記バッテリパックに替えて交流電源から変換された直流電源を供給可能な電源アダプタを取り付け可能な構成とした作業工具。
【請求項２】
請求項１記載の作業工具であって、前記電源アダプタは、交流電源を直流電源に変換する電源変換装置に接続されている作業工具。
【請求項３】
請求項１又は２記載の作業工具であって、前記先端工具に前記打撃動作と前記回動動作を与える駆動機構と、使用者が把持するハンドル部を備えており、前記駆動機構と前記ハンドル部との間に、前記駆動機構の動作により発生する振動を吸収するための防振機構が介在されており、前記ハンドル部側に前記バッテリ取り付け部を備えた作業工具。
【請求項４】
請求項２又は３記載の作業工具であって、前記電源アダプタは、主として出力電圧について異なる複数種類のものを選択して前記電源変換装置に接続可能であり、該接続した電源アダプタと前記電源変換装置との間で、該電源アダプタの主として出力電圧に関する情報を送受信して該電源アダプタから適正な電圧の直流電源を供給可能な構成とした作業工具。
【請求項５】
請求項２〜４の何れか１項に記載した作業工具であって、前記電源変換装置は、出力表示部を備えた作業工具。
【請求項６】
請求項１〜５の何れか１項に記載した作業工具であって、前記バッテリ取り付け部に前記バッテリパックを取り付けて電力供給される場合と、前記バッテリ取り付け部に前記電源アダプタを取り付けて電力供給される場合とで、動作状態が切り替えられる構成とした作業工具。
【請求項７】
出力軸に取り付けた先端工具に対して軸方向の打撃動作を与える打撃モードと、前記先端工具に対して回動動作を与える穴明けモードとに動作モードを切り換え可能で、電源としてバッテリパックを取り付けるためのバッテリ取り付け部を備えた作業工具に用いる電源装置であって、
前記バッテリパックに替えて前記バッテリ取り付け部に取り付け可能な電源アダプタと、交流電源を直流電源に変換して前記電源アダプタに出力する電源変換装置を備えた電源装置。
【請求項８】
請求項７記載の電源装置であって、前記電源アダプタは主として出力電圧について異なる複数種類のものを選択して前記電源変換装置に接続可能であり、該電源変換装置では、接続した電源アダプタに合わせて適正な電圧の直流電源を前記電源アダプタ側に出力可能な構成とした電源装置。
【発明の詳細な説明】
【技術分野】
【０００１】
この発明は、例えばハンマドリルと称される作業工具に関する。
【背景技術】
【０００２】
いわゆるハンマドリルと称される作業工具は、出力軸（ツールホルダ）に取り付けたビットを軸回りに回転させ（ドリル動作）、若しくは軸方向に打撃力を与え（ハンマ動作）、あるいは両者を組み合わせて出力可能とした工具で、これを用いることによりコンクリートのはつり作業や穴あけ作業を迅速かつ楽に行うことができる。下記の特許文献１には、充電式のバッテリパックを電源として利用できる電動工具に関する技術が開示されている。
【先行技術文献】
【特許文献】
【０００３】
【特許文献１】特許第４１０２０７１号公報
【発明の概要】
【発明が解決しようとする課題】
【０００４】
しかしながら、手持ち工具ではあっても比較的大型の機種では、取り付け可能なバッテリパックも大型化すると重量が大きくなって手持ち工具としてのメリットが小さくなる。特に、先端工具として取り付けたドリルビットに対して回転動作と打撃動作を与えて作業を行うハンマドリルについては、消費電力が比較的大きいことから小型バッテリでは長時間の作業が困難で、十分な作業量を確保するために大型のバッテリパックを取り付ける構成とすればそもそも手持ち工具とての利便性が大きく損なわれる。
【０００５】
本発明は、直流電源を電源として動作する作業工具について、大きな電力供給を長時間受けて作業を行うことができるようにすることを目的とする。
【課題を解決するための手段】
【０００６】
上記の課題は以下の各発明により解決される。第１の発明は、出力軸に取り付けた先端工具に対して軸方向の打撃動作を与える打撃モードと、先端工具に対して軸回りの回動動作を与える穴明けモードとに動作モードを切り換え可能な作業工具である。第１の発明に係る作業工具は、電源としてのバッテリパックを取り付けるためのバッテリ取り付け部を備えている。このバッテリ取り付け部には、前記バッテリパックに替えて交流電源を直流電源に変換して供給可能な電源アダプタを取り付けることができる。また、第７の発明は、第１の発明に係る作業工具に用いられる電源装置である。
【０００７】
第１の発明若しくは第７の発明によれば、バッテリ取り付け部にバッテリパックを取り付けて当該作業工具を利用することができる。また、バッテリパックに替えてバッテリ取り付け部に電源アダプタを取り付けて当該作業工具を利用することができる。電源アダプタは、交流電源から変換した直流電源を作業工具に供給することができる。このため、電源アダプタをバッテリ取り付け部に取り付けた状態では、実質的に時間の制約を受けることなく十分な電力が作業工具に供給される。これによれば、例えば作業工具としてのハンマドリルについて、先端工具に回転動作と軸方向の打撃動作を組み合わせて出力するハンマドリルモードあるいは回転動作を伴わず軸方向の打撃動作のみを出力するハツリモードのいずれの場合であっても、比較的大きな電力供給を時間的な制約を受けることなく継続して各種の作業を続行することができる。
【０００８】
特に、ハツリモードでは長時間の連続作業をすることが比較的多いことから、安定した電力を長時間供給できる交流電源を利用することが望ましい。一方、ハンマドリルモードでは、作業姿勢が上向きになる等比較的窮屈な姿勢で作業が行われることもあり、この場合には電源コードが邪魔にならないようＤＣ電源（バッテリパック）を電源として利用できることが望ましい。このように、第１の発明は、ハンマドリルモードとハツリモードにモード切替可能なハンマドリルについて、ＤＣ電源とＡＣ電源を作業内容に合わせて選択できるようにしたことに大きな意義がある。
【０００９】
第２の発明は、第１の発明において、電源アダプタは、交流電源を直流電源に変換する電源変換装置に接続されている作業工具である。
【００１０】
第２の発明によれば、重量分について電源変換装置を作業工具から切り離すことができる。電源アダプタは、例えばアダプタコードを介して電源変換装置側に接続されて、両者は別体のものとして構成され、従って重量については切り離されている。このため、作業工具側には電源アダプタ分の重量分のみ増加し、電源変換装置分の重量は付加されないことから当該作業工具の操作性及び作業性を損なわないようにすることができる。
【００１１】
第３の発明は、第１又は第２の発明において、先端工具に打撃動作と回転動作を与える駆動機構と、使用者が把持するハンドル部を備えており、駆動機構とハンドル部との間に、駆動機構の動作により発生する振動を吸収するための防振機構が介在されており、ハンドル部側にバッテリ取り付け部を備えた作業工具である。
【００１２】
第３の発明によれば、駆動機構で発生する振動のハンドル部側への伝達が防振機構により遮断される。バッテリ取り付け部側への振動が抑制されることから、いわゆるチャタリングの防止を図ることができる。
【００１３】
第４の発明は、第２又は第３の発明において、電源アダプタは、主として出力電圧について異なる複数種類のものを選択して電源変換装置に接続可能であり、該接続した電源アダプタと電源変換装置との間で、該電源アダプタの主として出力電圧に関する情報を送受信して該電源アダプタから適正な電圧の直流電源を供給可能な構成とした作業工具である。また、第８の発明は、第４の発明に係る作業工具に用いる電源装置である。
【００１４】
第４の発明若しくは第８の発明によれば、例えば３６Ｖ出力用の電源アダプタが電源変換装置に接続されると、電源アダプタから電源変換装置に出力電圧が３６Ｖである旨の情報が自動的に送信される。これに基いて電源変換装置では、例えば商用の交流１００Ｖ電源が直流３６Ｖ電源に変換されて電源アダプタ側に出力される。電源アダプタには、上記３６Ｖ出力の他、１８Ｖや５８Ｖ出力等、出力電圧について異なるものを複数種類用意しておくことができる。主として出力電圧について異なる複数種類の電源アダプタを任意に選択して取り付けると、電源変換装置には取り付けた電源アダプタに適正な出力電圧の情報が電源アダプタ側から自動的に送信されて、出力電圧の適正化が図られ、この点で当該電源アダプタ及び電源変換装置の機能を一層高めることができる。
【００１５】
第５の発明は、第２〜第４の何れか一つの発明において、電源変換装置は、出力表示部を備えた作業工具である。
【００１６】
第５の発明によれば、出力表示部に、例えば出力される直流電源に関する情報を表示することにより、当該電源アダプタ及び電源変換装置の機能を一層高めることができる。
【００１７】
第６の発明は、第１〜第５の何れか一つの発明において、バッテリ取り付け部にバッテリパックを取り付けて電力供給される場合と、バッテリ取り付け部に電源アダプタを取り付けて電力供給される場合とで、動作状態が切り替えられる構成とした作業工具である。
【００１８】
第６の発明によれば、バッテリ取り付け部にバッテリパックを取り付けた場合には、供給可能な電力量（動作時間）に制約を受けるため、例えば当該作業工具を省エネモードで動作させて長時間の作業を実現し、バッテリ取り付け部に電源アダプタを取り付けて商用の交流電源を直流電源に変換して供給する場合には、実質的に電力量に制約を受けないことから当該作業工具をハイスペックモードで動作させて高負荷な作業を迅速に行うことができる。このように、バッテリパックから供給電源であるのか、電源アダプタからの供給電源であるのかにより、当該作業工具の動作モードを切り替えることにより、当該作業工具の機能をより一層高めることができる。
【図面の簡単な説明】
【００１９】
【図１】本発明の実施形態に係る作業工具の全体縦断面図である。本図では、バッテリ取り付け部にバッテリパックを取り付けた状態が示されている。
【図２】本発明の実施形態に係る作業工具の全体縦断面図である。本図では、バッテリ取り付け部に電源アダプタを取り付けた状態が示されている。
【図３】電源アダプタからアダプタコードを外した状態を示す図である。
【図４】本実施形態に係る電源アダプタ等を収容した電源セットケースの全体概略図である。
【発明を実施するための形態】
【００２０】
次に、本発明の実施形態を図１〜図４に基づいて説明する。図１及び図２に示すように本実施形態では、作業工具１の一例としていわゆるハンマドリルを例示する。作業工具１は、比較的大型の手持ち工具で、駆動機構を内装した工具本体部１０と、使用者が把持するハンドル部４０を備えている。工具本体部１０とハンドル部４０との間には、防振機構２が介在されており、両者間は剛体結合ではなく相互に弾性支持された防振構造を備えている。防振機構２は、ハンドル部４０の前部側と上部側の２箇所に介在されている。防振機構２は、圧縮コイルばねを主体とするもので、工具本体部１０の駆動機構側で発生する振動を吸収してハンドル部４０側への振動伝達を抑制する機能を有している。
【００２１】
工具本体部１０は、電動モータ１１を駆動源として、出力軸としてのツールホルダ３０に取り付けた先端工具Ｂに対して回転動作と軸方向の打撃動作を与える駆動機構を本体ハウジング２４内に収容した構成を備えている。本実施形態では、駆動機構については特に変更を要しないが、以下簡単に説明する。電動モータ１１には、直流電源で作動するＤＣブラシレスモータが用いられている。電動モータ１１は、その出力軸１１ｂの軸線（モータ軸線）を上下方向に沿わせた縦向き姿勢で収容されている。電動モータ１１の回転出力は、打撃力を発生させるための第１動力伝達経路と回転動作を発生させるための第２動力伝達経路に分岐して伝達される。電動モータ１１の出力軸１１ｂには冷却ファン１１ｃが取り付けられている。この冷却ファン１１ｃの回転により本体ハウジング２４内に外気が導入されて当該電動モータ１１等の冷却がなされる。出力軸１１ｂの上部には、駆動ギヤ部１１ａが設けられている。駆動ギヤ部１１ａには、第１動力伝達経路の従動ギヤ１２と第２動力伝達経路の従動ギヤ１３が噛み合わされている。
【００２２】
第１動力伝達経路の従動ギヤ１２は、打撃駆動軸１４に固定されている。打撃駆動軸１４には偏心軸１５が設けられている。偏心軸１５は打撃駆動軸１４の回転軸線に対して一定距離偏心して設けられている。打撃駆動軸１４は、軸受１６を介して機構フレーム１７に回転自在に支持されている。機構フレーム１７は、本体ケース２４の内側に固定されている。
【００２３】
偏心軸１５には、コネクティングロッド２５の後部が相対回転可能に連結されている。コネクティングロッド２５の前部にピストン２０が一体に設けられている。ピストン２０は、シリンダ２１の内周側に気密に収容されている。ピストン２０の前方においてシリンダ２１の内周側には打撃ブロック２２が同じく気密に収容されている。ピストン２０と打撃ブロック２２との間においてシリンダ２１の内周側には、圧力室２３が形成されている。シリンダ２１は、その軸線を前後に沿わせた向きで機構フレーム１７に一体に支持されている。
【００２４】
シリンダ２１の主として前方に、先端工具Ｂを取り付けるツールホルダ３０が支持されている。ツールホルダ３０は概ね円筒形を有する部材で、シリンダ２１と同軸周りに回転自在に支持されている。ツールホルダ３０の内周側に打撃ハンマ３１が軸線方向に変位可能に収容されている。電動モータ１１が起動して打撃駆動軸１４が回転することにより発生する偏心軸１５の前後方向の変位成分によりピストン２０が前後に往復動する。ピストン２０の往復動により圧力室２３が圧縮されることにより打撃ブロック２２が打撃ハンマ３１の後端部に打撃される。打撃ハンマ３１を介してドリルビットやハツリビット等の先端工具Ｂが軸線方向に打撃される。
【００２５】
第２動力伝達経路の従動ギヤ１３は、回転駆動軸１８に固定されている。回転駆動軸１８は、上下の軸受け１８ａ，１８ｂを介して機構フレーム１７に回転自在に支持されている。回転駆動軸１８の上部には駆動側かさ歯車１８ｃが一体に設けられている。駆動側かさ歯車１８ｃは、円筒形の従動側かさ歯車１９に噛み合わされている。従動側かさ歯車１９は、ツールホルダ３０の後部外周側において機構フレーム１７に回転可能に支持されている。
【００２６】
ツールホルダ３０の後部外周側には、円環形の切替部材がスプライン結合されている。このため、切替部材３２は、ツールホルダ３０の後部外周に対して、軸方向（前後方向）に変位可能に支持され、かつ軸回りについてはツールホルダ３０に対して一体化された状態で支持されている。図１に示すように切替部材３２が後側へ変位して従動側かさ歯車１９に回転について噛み合った状態では、従動側かさ歯車１９の回転が切替部材３２を介してツールホルダ３０に伝達される（回転動作伝達位置）。このため、図示する状態は先端工具Ｂに対して軸方向の打撃と軸回りの回転動作が組み合わされて与えられるハンマドリルモードに切り替わった状態となっている。
【００２７】
一方、図２に示すように切替部材３２が前側へ変位して、従動側かさ歯車１９に対する噛み合いが外れると、従動側かさ歯車１９は空転してツールホルダ３０に回転動作が伝達されない状態となる（回転動作遮断位置）。この場合、切替部材３２は回転ロック部材３３側に噛み合わされて軸回りの回転がロックされた状態となる。この回転ロック状態では、ツールホルダ３０の軸回りの回転動作がロックされて、先端工具Ｂに軸線方向の打撃動作のみが与えられる打撃モード（ハツリモード）に切り替えられた状態となる。
【００２８】
ハンマドリルモードと打撃モードの切り替えは、工具本体部１０の上面に設けたモード切替ダイヤル３６によりなされる。モード切替ダイヤル３６の回転操作により、中間レバー３４が前後に変位することにより、切替部材３２が前側の回転動作遮断位置（打撃モード）と後側の回転動作伝達位置（ハンマドリルモード）との間を変位する。
【００２９】
ツールホルダ３０の前部に先端工具Ｂを挿入する装着孔３０ａが設けられている。装着孔３０ａの周囲２箇所にホルダピース３０ｂが設けられている。２箇所のホルダピース３０ｂが内周側に張り出して先端工具Ｂの係合溝に係合されることにより、先端工具Ｂが装着孔３０ａから抜け止めされ、かつ回転動力伝達可能に取り付けられた状態となる。本体ケース２４の前側においてツールホルダ３０の周囲に前後に移動操作可能に操作スリーブ３５が設けられている。操作スリーブ３５を後方へスライド操作すると、ホルダピース３０ｂの係合が解除されて先端工具Ｂをツールホルダ３０の装着孔３０ａから抜き出すことができる。
【００３０】
ハンドル部４０は、工具本体部１０の後部側上部と後部側下部との間に跨るループ形を有している。ハンドル部４０は、使用者が実際に把持するグリップ部４１と、台座部４５を備えている。台座部４５の後部からグリップ部４１が上方へ延びる状態に設けられている。グリップ部４１の上部は、工具本体部１０の防振機構２を介して後部側上部に連結されている。台座部４５の下面側に、電源としてのバッテリパック５０を取り付けるためのバッテリ取り付け部４２が設けられている。台座部４５の前側上部と工具本体部１０の後部側下部との間に防振機構２が介在されている。
【００３１】
グリップ部４１の前面（ループ内側）に大型のスイッチレバー４３が設けられている。スイッチレバー４３の後側には、スイッチ本体４４が内装されている。グリップ部４１を把持した手の指先でスイッチレバー４３を後方側へ引き操作するとスイッチ本体４４がオンして電動モータ１１が起動する。
【００３２】
バッテリ取り付け部４２は、いわゆるスライド取り付け形式のバッテリパック５０を機械的かつ電気的に結合するための部位で、左右一対のレール受け部と、正負の電源端子を備えている。バッテリパック５０は、６面を有する直方体形状のケースに複数本のバッテリセルを内装したリチウムイオンバッテリで、本実施形態では定格電圧３６Ｖ出力のバッテリパックを取り付けることができる。バッテリパック５０は、ねじ締め工具や切断工具等のその他の電動工具の電源としても利用できる汎用性の高いもので、別途用意した充電器で充電することにより繰り返し利用することができる。なお、例えば５０Ｖ以上のより大型で大出力のバッテリパックを取り付ける作業工具について、例示した電源アダプタ及び電源変換装置を適用すればより軽量化について大きなメリットを得ることができる。
【００３３】
バッテリパック５０の上面に左右一対のレール部５０ａが設けられている。図では見えていないが左右のレール部５０ａ間に、上記正負の電源端子を挿入させる端子受け部が設けられている。バッテリ取り付け部４２に対してバッテリパック５０を後方から前方へ向けてスライド移動させることにより、バッテリパック５０をバッテリ取り付け部４２に取り付けることできる。バッテリ取り付け部４２にバッテリパック５０が取り付けられると、その電力を工具本体部１０側に供給可能な状態となる。図示するようにバッテリパック５０はその上面をバッテリ取り付け部４２に沿って結合させた吊り下げ状態で取り付けられる。図１に示すように取り付けたバッテリパック５０の下面は、台座部４５の下面に一致した状態となる。バッテリパック５０の下面と、台座部４５の下面をそれぞれ設置面に接地させて当該作業工具１を起立状態で設置しておくことができる。比較的重量の大きなバッテリパック５０を台座部の一部として機能させることができるので、作業工具１をより安定した姿勢で設置しておくことができる。
【００３４】
バッテリ取り付け部４２の上方であって、台座部４５の上部には、主として電動モータ１１の動作制御をするための制御基板４６ａを、底浅のアルミニウム製ケースに内装して樹脂モールドしてなるコントローラ４６が収容されている。コントローラ４６は平板形状を有するもので、その板厚方向を上下方向に沿わせ、その長手方向をバッテリ取り付け方向に沿わせた水平姿勢に保持されている。コントローラ４６は、電動モータ１１の冷却ファン１１ｃの回転により導入される外気により冷却される。
【００３５】
台座部４５の前面には、照明具４７が備え付けられている。照明具４７により、工具本体部１０の前端部付近であって加工部位が明るく照らされて暗所での作業を効率よく行うことができる。
【００３６】
バッテリ取り付け部４２には上記したバッテリパック５０に替えて、電源アダプタ６０を取り付けることができる。電源アダプタ６０は、バッテリパック５０を同じく６面体を有する概ね直方体形状を有している。電源アダプタ６０の上面には、左右一対のレール部６０ｃと、正負の電源端子受け部（図では見えていない）を備えている。バッテリパック５０と同じく、バッテリ取り付け部４２に対して電源アダプタ６０を後方から前方へ向けてスライドさせることにより、電源アダプタ６０をバッテリ取り付け部４２に吊り下げ状態で取り付けることができる。電源アダプタ６０は、主として左右のレール部６０ｃにより機械的にバッテリ取り付け部４２に取り付けられると、正負の電源端子受け部にバッテリ取り付け部４２側の電源端子が挿入されて電気的に接続された状態となる。このように、電源アダプタ６０は、バッテリ取り付け部４２に対する機械的な結合構造あるいは電源供給用の電気的な接続構造については、バッテリパック５０と同様の構成を備えている。
【００３７】
電源アダプタ６０には、バッテリパック５０とは異なって複数本のバッテリセルは内装されていない。従って、電源アダプタ６０自体には電力を供給する能力を有していないものの、バッテリセルの分だけ電源アダプタ６０はバッテリパック５０より大幅に軽量化されている。電源アダプタ６０の下面側の前部と後部にはそれぞれ脚部６０ａが設けられている。脚部６０ａの下部は、台座部４５の下面に一致している。このため、前後の脚部６０ａは、バッテリパック５０の下面と同様、当該作業工具１を起立状態に設置させた場合の脚部として機能する。
【００３８】
電源アダプタ６０は、アダプタコード６２を介して電源変換装置６１に接続されている。図３に示すようにアダプタコード６２は、電源アダプタ６０の後面に、切り離し可能に接続されている。アダプタコード６２の前部には、外周面に滑り止め処理が施された結合スリーブ６２ａと、差し込み部６２ｂが設けられている。差し込み部６２ｂには、Ｌ形の係合溝６２ｃが設けられている。差し込み部６２ｂを、電源アダプタ６０の後面に設けたコード接続部６０ｂに差し込んで軸回りに一定角度回転させることにより、コード接続部６０ｂ側に設けた係合突起（図では見えていない）が係合溝６２ｃに係合されて当該アダプタコード６２が抜け止めされる。この抜け止め状態で結合スリーブ６２ａを、コード接続部６０ｂ側の雄ねじ部（図では見えていない）にねじ結合することにより、当該アダプタコード６２が電源アダプタ６０の後面に接続される。
【００３９】
電源変換装置６１は、交流電源を直流電源に変換して出力する機能を有している。電源変換装置６１には、交流１００Ｖ電源用の電源コード６３が接続されている。この電源コード６３を経て、例えば商用１００Ｖの交流電源が電源変換装置６１に供給される。電源変換装置６１では、供給された交流１００Ｖの電源が、直流３６Ｖに変換される。変換された直流電源はアダプタコード６２を経て電源アダプタ６０に供給される。電源アダプタ６０を経て直流１８Ｖの電源が作業工具１に供給される。
【００４０】
電源変換装置６１は、矩形平板形のケース６１ａに電源変換用の回路基板６１ｂを内装した構成を備えている。回路基板６１ｂにおいて、交流１００Ｖ電源が直流３６Ｖ電源に変換される。変換された直流３６Ｖの電源はアダプタコード６２を経て電源アダプタ６０に出力される。ケース６１ａの上面中央には持ち運び用のハンドル６１ｃが設けられている。電源変換装置６１によれば、交流１００Ｖ電源が変換された直流３６Ｖ電源であって、バッテリパック５０と同じ電源が電源アダプタ６０から作業工具１に供給される。このため、電源変換装置６１を用いることにより、実質的に時間的制約を受けることなく作業工具１を連続して稼働させることができ、ひいては長時間のはつり作業等を効率よく行うことができる。
【００４１】
電源変換装置６１の側部には、主として出力される直流電源に関する情報を表示するための出力表示部６１ｄが設けられている。本実施形態では、出力表示部６１ｄとして、４つのＬＥＤ表示灯が設けられている。何れか若しくは複数個のＬＥＤ表示灯が点灯又は点滅することにより、出力される直流電源が適正電圧に達しているか否か等に関する情報が報知される。
【００４２】
また、本実施形態では、主として出力電圧について複数種類の電源アダプタ６０が用意されている。図では１種類の電源アダプタ６０のみが示されている。使用者が任意に選択した電源アダプタを電源変換装置６１に接続すると、電源アダプタと電源変換装置６１との間で、電源アダプタの主として出力電圧に関する情報が送受信される。アダプタコード６２には、電力供給用の電源線６２ｄに加えて、電源アダプタと電源変換装置６１との間で電子データを送受信するための信号線６２ｅが含まれている。これにより、電源変換装置６１では、交流電源が接続した電源アダプタに適応した出力電圧に変換されて電源アダプタ側に供給される。例えば、３６Ｖ出力用の電源アダプタ６０がアダプタコード６２を介して電源変換装置６１に接続されると、電源アダプタ６０から電源変換装置６１に出力電圧が３６Ｖである旨の情報が自動的に送信される。これに基いて電源変換装置６１では、商用の交流１００Ｖ電源が直流３６Ｖ電源に変換されて電源アダプタ６０側に出力される。電源アダプタ６０には、出力電圧が３６Ｖの他、１８Ｖや５８Ｖ等のものを予め用意しておくことができる。
【００４３】
さらに、バッテリ取り付け部４２では、バッテリパック５０と電源アダプタ６０の何れが取り付けられているかの判別がなされる。判別は、コントローラ４６との間で電子データの送受信がなされることにより実行される。本実施形態では、バッテリ取り付け部４２にバッテリパック５０を取り付けた場合と、電源アダプタ６０を取り付けた場合とで、電動モータ１１の出力が変化して当該作業工具１の動作モードが「省エネモード」と「ハイスペックモード（高出力モード）」との間で自動的に切り替わるようになっている。この自動モード切換えは、前記したモード切替ダイヤル３６の操作による動作モード切替とは独立してなされる。バッテリ取り付け部４２に電源アダプタ６０が接続されると、電源アダプタ６０及びアダプタコード６２を経て電源変換装置６１からモード切替信号がコントローラ４６に送信される。モード切替信号がコントローラ４６に送信される状態では、電動モータ１１は消費可能な電力について時間的制約を受けないため最高出力で動作し、これにより当該作業工具１はハイスペックモードで動作する。作業工具１がハイスペックモードで動作することにより、ハンマドリルモード及びハツリモードの双方について迅速な作業を行うことができる。
【００４４】
バッテリ取り付け部４２にバッテリパック５０を取り付けた状態では、上記モード切替信号がコントローラ４６で受信されない結果、電動モータ１１は消費可能な電力について時間的制約を受けるため、最高出力よりも抑制した出力で動作し、従って当該作業工具１は省エネモードで動作する。作業工具１が省エネモードで動作することにより、ハンマドリルモード及びハツリモードの双方について比較的軽作業を長時間継続して行うことができる。
【００４５】
図４には、作業工具１用の電源セットケース７０が示されている。この電源セットケース７０は、１つのバッテリパック５０、１つの電源アダプタ６０、電源変換装置６１、アダプタコード６２を収納することができる。また、この電源セットケース７０には、バッテリパック５０を充電するための充電器５１を併せて収納しておくことができる。これら各種の付帯設備を１つの電源セットケース７０に収納して持ち運ぶことができるので、作業工具１の利便性及び付加価値を一層高めることができる。
【００４６】
以上のように構成した本実施形態の作業工具１によれば、バッテリ取り付け部４２にバッテリパック５０を取り付けて当該作業工具１を利用することができる。また、バッテリパック５０に替えてバッテリ取り付け部４２に電源アダプタ６０を取り付けて当該作業工具１を利用することができる。電源アダプタ６０は、交流１００Ｖ電源から変換した直流３６Ｖ電源を作業工具に供給することができる。このため、電源アダプタ６０をバッテリ取り付け部４２に取り付けた状態では、実質的に時間の制約を受けることなく十分な電力が作業工具１に供給される。これによれば、先端工具Ｂに回転動作と軸方向の打撃動作を組み合わせて出力するハンマドリルモードあるいは回転動作を伴わず軸方向の打撃動作のみを出力するハツリモードのいずれの場合であっても、比較的大きな電力供給を時間的な制約を受けることなく継続して各種の作業を続行することができ、これにより作業工具１の作業性を高めることができる。
【００４７】
特に、例示した実施形態によれば、バッテリパック５０を電源とするＤＣ機（コードレス）としての作業工具１、あるいは電源アダプタ６０と電源変換装置６１を接続したＡＣ機としての作業工具１を選択して利用することができる。ハツリモードでは長時間の連続作業をすることが比較的多いことから、安定した電力を長時間供給できる交流電源（ＡＣ機）を利用することが望ましい。一方、ハンマドリルモードでは、作業姿勢が上向きになる等比較的窮屈な姿勢で作業が行われることもあり、この場合には電源コードが邪魔にならないようコードレス機として利用できることが望ましい。このように、ハンマドリルモードとハツリモードにモード切替可能な作業工具１（ハンマドリル）について、ＤＣ電源とＡＣ電源を作業内容に合わせて選択できるようにしたことに大きな意義がある。
【００４８】
また、例示した実施形態では、バッテリ取り付け部４２から電源アダプタ６０を取り外すことにより、電源変換装置６１を作業工具１から切り離すことができる。アダプタコード６２を介して電源アダプタ６０は電源変換装置６１側に接続されており、作業工具１側からは切り離されることから、当該作業工具１について電源アダプタ６０に相当する重量の増加を避けることができる。
【００４９】
また、先端工具に打撃動作と回転動作を与える駆動機構を内装した工具本体具１０と、使用者が把持するハンドル部４０との間に、駆動機構の動作により発生する振動を吸収するための防振機構２が介在されていることにより、ハンドル部４０側への振動の伝達が抑制若しくは遮断される。バッテリ取り付け部４２側への振動が抑制されることから、グリップ部４１の把持性を高めることができるとともに、いわゆるチャタリングの防止を図ることができる。
【００５０】
さらに、例示した実施形態では、主として出力電圧について異なる複数種類の電源アダプタ６０を任意に選択して取り付けると、電源変換装置６１には取り付けた電源アダプタ６０に適正な出力電圧の情報が電源アダプタ６０側から自動的に送信されて、出力電圧の適正化が図られ、この点で当該電源アダプタ６０及び電源変換装置６１の機能を一層高めることができる。
【００５１】
また、バッテリ取り付け部４２にバッテリパック５０を取り付けて電力供給される場合と、バッテリ取り付け部４２に電源アダプタ６０を取り付けて電力供給される場合とで、工具本体部１０の動作状態が切り替えられる構成となっている。係る構成によれば、バッテリ取り付け部４２にバッテリパック５０を取り付けた場合には、供給可能な電力量（動作時間）に制約を受けるため、例えば当該作業工具１を省エネモードで動作させて長時間の作業を実現する一方、バッテリ取り付け部４２に電源アダプタ６０を取り付けて商用の交流電源を直流電源に変換して供給する場合には、実質的に電力供給時間に制約を受けないことから当該作業工具１をハイスペックモードで動作させて高負荷な作業を迅速に行うことができる。このように、常時直流の供給電源ではあるが、バッテリパック５０からの供給電源であるのか、電源アダプタ６０からの供給電源であるのかにより、当該作業工具１の動作モードを切り替えることにより、当該作業工具１の機能をより一層高めることができる。
【００５２】
以上説明した実施形態には種々変更を加えることができる。例えば、一つのバッテリパック５０を取り付けるバッテリ取り付け部４２を備えた作業工具１を例示したが、例えば１８Ｖ出力のバッテリパック５０を２個取り付けて３６Ｖで動作する作業工具について、３６Ｖ出力用の電源アダプタを取り付けて電源変換装置６１により電力供給する構成としてもよい。
【００５３】
また、アダプタコード６２の信号線６２ｅにより、電源アダプタ６０と電源変換装置６１との間で情報の送受信を行う構成を例示したが、比較的近距離の無線通信により情報の送受信を行う構成としてもよい。
【００５４】
電源アダプタ６０とアダプタコード６２を分離可能とし、主として異なる出力電圧の電源アダプタを任意に選択してアダプタコード６２に接続可能とした構成を例示したが、電源アダプタとアダプタコード及び電源変換装置６１を分離不能として、主として出力電圧について専用の電源供給装置としてもよい。係る専用装置とする場合には、電源アダプタ６０と電源変換装置６１との間における電子データの送受信を省略することができる。
【００５５】
また、作業工具１として、先端工具Ｂに軸線方向の打撃動作と軸線周りの回転動作を与えるハンマドリルを例示したが、ねじ締め工具や切断工具等のその他のバッテリ式の作業工具について例示した電源アダプタ６０及び電源変換装置６１を適用することができる。
【符号の説明】
【００５６】
１…作業工具
２…防振機構
Ｂ…先端工具
１０…工具本体部
１１…電動モータ（ブラシレスモータ）
１１ａ…駆動ギヤ部、１１ｂ…出力軸、１１ｃ…冷却ファン
１２…従動ギヤ（第１動力伝達経路）
１３…従動ギヤ（第２動力伝達経路）
１４…打撃駆動軸
１５…偏心軸
１６…軸受
１７…機構フレーム
１８…回転駆動軸
１８ａ，１８ｂ…軸受、１８ｃ…駆動側かさ歯車
１９…従動側かさ歯車
２０…ピストン
２１…シリンダ
２２…打撃ブロック
２４…本体ハウジング
２５…コネクティングロッド
３０…ツールホルダ
３０ａ…装着孔、３０ｂ…ホルダピース
３１…打撃ハンマ
３２…切替部材
３４…中間レバー
３５…操作スリーブ
３６…モード切替ダイヤル
４０…ハンドル部
４１…グリップ部
４２…バッテリ取り付け部
４３…スイッチレバー
４４…スイッチ本体
４５…台座部
４６…コントローラ、４６ａ…制御基板
４７…照明具
５０…バッテリパック、５０ａ…レール部
５１…充電器
６０…電源アダプタ、６０ａ…脚部
６１…電源変換装置
６１ａ…ケース、６１ｂ…回路基板、６１ｃ…ハンドル、６１ｄ…出力表示部
６２…アダプタコード
６２ａ…結合スリーブ、６２ｂ…差し込み部、６２ｃ…係合溝
６２ｄ…電源線、６２ｅ…信号線
７０…電源セットケース
【図１】
2019038088.tif 000003
【図２】
2019038088.tif 000004
【図３】
2019038088.tif 000005
【図４】
2019038088.tif 000006